(57)【要約】【課題】情報システムに適用され且つ無線伝送機能を有する無線入力設備の省電力方法及びその機構を提供する。【解決手段】スイッチモジュール103が設けられた省電力機構10によって無線入力設備に省電力機能を提供し、該機構はさらに電池給電モジュール101と制御ユニット102を備え、使用者が該入力設備を操作していない場合、電池給電モジュールが該入力設備への電力を減少するように制御ユニットが制御して、使用者が該入力設備を移動させまたは該入力設備の押しボタンを押圧して初めて充分な電力を該入力設備に提供する。該入力設備が未操作の場合、該入力設備の移動による電力の消耗を回避するためには、使用者は電池給電モジュールの電源伝送ルートをスイッチモジュールによって遮断して、該入力設備の使用電力が節約される。【選択図】図１
2006018776.tif 000002
【特許請求の範囲】
【請求項１】
無線伝送機能を有しかつ内部に装着された電池給電モジュールを給電源とする無線入力設備に適用され、スイッチモジュールが設けられた省電力機構によって、無線伝送方式を通してデータが電子情報システムに入力される無線入力設備に省電力機能を提供する、無線入力設備の省電力方法において、
（１）  前記無線入力設備の外形を構成するケースの表面に電池給電モジュールと電気的に接続されるスイッチモジュールを設置しておくステップと、
（２）  使用者は前記スイッチモジュールの制御によって無線入力設備の作動状態を完全省電力モードまたは作動モードに設定して、前記無線入力設備の作動状態が完全省電力モードに設定されている場合、前記スイッチモジュールが電池給電モジュールの電源伝送ルートを遮断し、電池給電モジュールの蓄積電力の消耗を回避し、作動モードに設定されている場合、前記スイッチモジュールが電池給電モジュールの電源伝送ルートを開放させ、使用者が前記無線入力設備を操作できるようにするステップと、
を備えることを特徴とする、無線入力設備の省電力方法。
【請求項２】
前記無線入力設備は無線光学マウスであることを特徴とする請求項１に記載の無線入力設備の省電力方法。
【請求項３】
前記無線光学マウスにはさらにスリーピング省電力モードを備え、即ち前記無線光学マウスを移動させまたはその上に付設された操作ボタンを押圧することによって、前記無線光学マウスの電源がオンして、データの入力作業を行うことを特徴とする請求項２に記載の無線入力設備の省電力方法。
【請求項４】
前記無線入力設備はRF伝送方式によってデータの伝送作業を行うことを特徴とする請求項１に記載の無線入力設備の省電力方法。
【請求項５】
前記無線入力設備はアルカリ電池を給電源として使用することを特徴とする請求項１に記載の無線入力設備の省電力方法。
【請求項６】
前記スイッチモジュールはその上に付設された突き出し部を手動方式で平行的に移動させることによって前記無線入力設備の作動状態を切り換えることを特徴とする請求項１に記載の無線入力設備の省電力方法。
【請求項７】
前記スイッチモジュールは、前記無線入力設備の外形を構成するケースに含まれた凹部収容スペースを有する底部ケースの表面に嵌入されることで、前記無線入力設備の移動抵抗やスイッチモジュールに設けられた突き出し部に誤接触したことによる前記無線入力設備の作動電源の中断を回避することを特徴とする請求項1に記載の無線入力設備の省電力方法。
【請求項８】
前記底部ケースの表面は前記無線入力設備が収容された平面に接触されていることを特徴とする請求項７に記載の無線入力設備の省電力方法。
【請求項９】
前記電子情報システムは携帯可能のノートパソコンであることを特徴とする請求項１に記載の無線入力設備の省電力方法。
【請求項１０】
前記完全な省電力モードは電池給電モジュールが完全に前記無線入力設備に給電を行わず、電池給電モジュールに蓄積された電力が節約されることを特徴とする請求項１に記載の無線入力設備の省電力方法。
【請求項１１】
無線伝送機能を有しかつ内部に装着された電池給電モジュールを給電源とする無線入力設備に適用され、使用者が前記無線入力設備を持ち歩いている場合や長時間にわたって前記無線入力設備を操作していない場合、電池給電モジュールに蓄積された電力の消耗が続くことを回避するための、無線入力設備の省電力機構において、
無線入力設備が無線伝送の方式によるデータ伝送を行う場合に、該無線入力設備の内部に設けられた各ユニットモジュールの作動に必要な電力を供給するための電池給電モジュールと、
無線入力設備の内部に設けられた各ユニットモジュールと電気的に接続され、無線入力設備の内部に設けられた各ユニットモジュールの作動の制御、及びそれらのユニットモジュールの作動状態の検知を行い、無線入力設備の作動時に必要な電力を電池給電モジュールより供給するように制御するための制御ユニットと、
前記無線入力設備の外形を構成するケースの表面に設置され、無線入力設備の作動状態が完全省電力モードまたは作動モードを使用者が設定して、完全省電力モードに設定されている場合、電池給電モジュールの電源供給ルートを遮断して、電池給電モジュールの蓄積電力の消耗を回避し、前記無線入力設備の作動状態を使用者が作動モードに設定して初めて電池給電モジュールの電源供給ルートを開放させるようにするスイッチモジュールと、
を備えることを特徴とする、無線入力設備の省電力機構。
【請求項１２】
前記無線入力設備は無線光学マウスであることを特徴とする請求項１１に記載の無線入力設備の省電力機構。
【請求項１３】
前記無線入力設備はRF伝送方式によってデータの伝送作業を行うことを特徴とする請求項１１に記載の無線入力設備の省電力機構。
【請求項１４】
前記電池給電モジュールはアルカリ電池からなることを特徴とする請求項１１に記載の無線入力設備の省電力機構。
【請求項１５】
前記スイッチモジュールはその上に付設された突き出し部を手動方式で平行的に移動させることによって前記無線入力設備の作動状態を切り換えることを特徴とする請求項１１に記載の無線入力設備の省電力機構。
【請求項１６】
前記スイッチモジュールは、前記無線入力設備の外形を構成するケースに含まれた凹部収容スペースを有する底部ケースの表面に嵌入されることで、前記無線入力設備の移動抵抗やスイッチモジュールに設けられた突き出し部に誤接触したことによる前記無線入力設備の作動電源の中断を回避することを特徴とする請求項１１に記載の無線入力設備の省電力機構。
【請求項１７】
前記底部ケースの表面は前記無線入力設備が収容された平面に接触されていることを特徴とする請求項１６に記載の無線入力設備の省電力機構。
【請求項１８】
前記完全な省電力モードは電池給電モジュールが完全に前記無線入力設備に給電を行わず、電池給電モジュールに蓄積された電力が節約されることを特徴とする請求項１１に記載の無線入力設備の省電力機構。
【発明の詳細な説明】
【技術分野】
【０００１】
本発明は設備電源管理技術に関し、特に、情報システムに使用された無線入力設備に省電力機能を提供する方法に関するものである。
【背景技術】
【０００２】
無線入力設備は、コンピュータに使用された周辺入力設備であって、使用者がそれによって接続線の制限から解放される。現にコンピュータの機能を、無線伝送が受信できる範囲内で操作する一般市販の無線マウスとしては、アルカリ電池を必要な電源として使用するのが殆んどであって、かつ電源がオフなし形式であるため、使用者が無線マウスを操作せずにデータの入力を行う場合、無線マウスが自動的にスタンドバイモードに入るが、使用者が無線マウスをわずかに移動させまたはその操作ボタンをクリックすれば、無線マウスが迅速にスタートして操作モードに入るように、電池からの一部の電力が必要である。この操作プロセスは、リモコン機能を有する家電用品例えばテレビのように、その電源をオフしてもテレビの内部には電力の供給が必要あり、使用者がリモコンを操作して電源をオンする場合、見たいチャネルの内容をすぐに視聴できるようにする。従って、無線マウスに使用された電池を定期的に取り換えることは無線マウスの使用時の注意事項となっている。無線マウスのカーソルが突然操作できなくなった場合、無線マウスに用いられた電池の取り換えが必要であることを意味している。しかしながら、電力の消耗は無線光学マウスのほうが特に目立っている。一般に、無線ホイールマウスが正常使用の場合、およそ４ヶ月あまりで電池の交換が必要であるのに対し、無線光学マウスが同じ使用状況であっても２ヶ月あまりで電池の交換が必要であるため、無線ホイールマウスによってデータの伝送を行ったほうが経済的である。ところが、無線光学マウスは、移動の平面の情況による影響がなく、かつトラッキングボールがダストによって操作の感度が影響されるようなこともなく、また、その反応時間が無線ホイールマウスより速いため、無線ホイールマウスに取って代わる姿勢が見せられている。よって、メーカ側は無線光学マウスの電力消耗問題の改善に取り組んでおり、例えば無線光学マウスの内部に電源検出装置が取り付けられ、該電源検出装置は無線光学マウス内部に設けられた光学センサーによって対応した作動を行い、全灯、微灯、点滅、微灯点滅等の各種の異なる省電力モードを実施することで、無線光学マウスの内部に設けられた光学システムに生じたビームが異なる作動状態において無線光学マウスに消耗された電力の大きさを自己調整して、省電力の目的を図る。また、充電電池を電源として無線光学マウスを生産するメーカもあり、無線光学マウスを使用していない場合、無線光学マウスを充電パックに置き、いつでも充電させることで、データの入力作業が操作中に作動電力不足の問題によって影響されることを回避する。
【０００３】
上記のように、無線マウスの電力消耗は、その内部に設けられた部材が有線マウスより複雑であるとともに、未使用の場合に電池の消耗が必要であることも原因である。しかしながら、上記の電源の問題に対する解決技術において、無線マウスをわずかに移動させるだけで完全的にスタートできる機能が保留されているため、それらの電源の問題に対する解決技術は、あくまでも無線マウスがデスクトップパソコンの入力設備とのみ省電力の措置が考慮されており、ノートブックパソコンの周辺入力設備として無線マウスを使用する場合、無線マウスは使用者が移動中に生じた振動によってその作動時に必要な電源がオンし、電池の消耗が加速されることとなる。しかも、ノートパソコンの使用者は、営業員または各地に出張したりするビジネスマンが殆んどであるため、移動中の振動によって無線マウスの電力の消耗し尽くして使用できなくなった場合、その仕事に多大の不便となることに違いない。従って、移動中の振動によってノーとパソコンに使用された無線マウスの電力が消耗することは、極めて解決すべき課題である。
【発明の開示】
【発明が解決しようとする課題】
【０００４】
上記の課題に鑑みて、本発明は、情報システムに用いられた無線入力設備例えば無線マウスに適用され、無線マウスに省電力機能を提供する無線入力設備の省電力方法及びその機構を提供することを目的とする。
【０００５】
また、無線マウスが移動中の振動、及び未操作の状態においても電池の電力供給モジュールの蓄積電力の消耗が続くことによって電力の消耗が加速されることを解決し、無線入力設備の省電力方法及びその機構を提供することを目的とする。
【課題を解決するための手段】
【０００６】
本発明に係る無線入力設備の省電力方法は、下記のプロセスを備える。
（１）  該無線入力設備の内部に省電力機構を設置しておき、その後、該省電力機構に含まれたスイッチモジュールと電池給電モジュールとの電気的な接続関係を確立して、スイッチモジュールを該無線入力設備の外形を構成する底座ケースとテーブルに接触する表面に装着するプロセス、
（２）  使用者は無線入力設備の作動状態を、該省電力機構内に設けられたスイッチモジュールによって省電力モードに設定するプロセス、
（３）  無線入力設備の省電力機構に含まれたスイッチモジュールは、電池給電モジュールの電源給電ルートを遮断し、無線入力設備の作動に必要な電源が電池給電モジュールより完全に供給できなくなるようにすることで、無線入力設備の長時間の未使用の場合または移動中の振動によって電池給電モジュールに蓄積された電力の消耗が続き、電池給電モジュールに蓄積された電力の消耗が加速されることを回避するプロセス、
（４）  使用者がスイッチモジュールを通して無線入力設備の作動状態を操作モードに設定し直して初めて、スイッチモジュールが電池給電モジュールの電源伝送ルートを開放させ、充分な電力を無線入力設備の使用に電池給電モジュールより提供するようにするプロセス。
【０００７】
本発明に係る無線入力設備の省電力方法及びその機構は、下記の部材を備える。
（１）  無線入力設備が無線伝送の方式によるデータ伝送の作動やスタンドバイモードである場合に、該無線入力設備の内部に設けられた各ユニットモジュールの作動に必要な電力を供給するための電池給電モジュール、
（２）  電池給電モジュールの電力源入力端として無線入力設備の内部に設けられた各ユニットモジュールと電気的に接続され、無線入力設備の内部に設けられた各ユニットモジュールの作動の制御、及びそれらのユニットモジュールの作動状態の検知を行い、無線入力設備の作動時に必要な電力を電池給電モジュールより供給するように制御するための制御ユニット、
（３）  該無線入力設備外形を構成するケースとテーブル面に接触する底座ケースに設けられた凹部収容スペースに設置され、かつ無線入力設備の作動状態における操作インタフェースを使用者が設定するための突出し部が設けられており、使用者が無線入力設備の作動状態を該突出し部によって切り替えて無線入力設備が省電力モードに入る場合、電池給電モジュールの電源供給ルートを遮断させ、電池給電モジュールの蓄積電力が節約されるためのスイッチモジュール。
【発明の効果】
【０００８】
上記の無線入力設備の省電力方法及びその機構は、ノートパソコンに使用された無線入力設備に省電力機能が提供され、使用者が無線入力設備を操作していない場合、電池給電モジュールが無線入力設備への電力を減少するように無線入力設備内に設けられた制御ユニットが制御して、使用者が無線入力設備を移動させまたはそのクリックボタンを押圧して初めて充分な電力を無線入力設備に提供する。使用者の移動中の振動による電力の消耗を回避するためには、無線入力設備の作動状態をスイッチモジュールに設けられた突出し部によって省電力モードに切り替え、電池給電モジュールの電源伝送ルートを遮断して、電池給電モジュールの蓄積電力の消耗速度を減少し、電池給電モジュールの使用期限を延長する。
【発明を実施するための最良の形態】
【０００９】
本発明に係る上記とその他の目的、特徴、及び利点をもっと分かりやすくするために、添付の図面に沿いながら、本発明に係る好ましい実施の形態を詳しく説明する。
【００１０】
下記の実施例において、本発明に係る無線入力設備の省電力方法及びその機構は、例えば、RF（Radio  Frequency、無線周波数）光学マウスに適用され、RF光学マウス内部に設けられた電池給電モジュールの蓄積電力消耗を低減し、RF光学マウスに省電力機能を提供する。しかしながら、ここでは、本発明に係る無線入力設備の省電力方法及びその機構は、それらのRF光学マウスに限定されるものではない。広義に言えば、本発明は無線伝送機能を有する入力設備例えば無線キーボード、ジョイスティック等のいずれかに適用されても良く、無線入力設備に省電力機能を提供する。
【００１１】
図１は本発明に係る無線入力設備の省電力方法及びその機構がRF光学マウス１に適用された場合の内部構造を模式的に示すブロック図である。図1に示すように、該RF光学マウス１は省電力機構10、検知モジュール20、無線周波数回路モジュール30、アンテナ40を備える。該省電力機構10は電池給電モジュール101、制御ユニット102、スイッチモジュール103を備える。該スイッチモジュール103は嵌込み方式によってRF光学マウス１の底部ケースA（図2）に設けられた凹部収容スペースC（図2）内に設置されている。データの入力作業中に、RF光学マウス１は所定の無線チャネルによってノートパソコン（図示せず）に装着された受信器（図示せず）に接続され、無線伝送の方式によってノートパソコンの機能操作を実施する。検知モジュール20、無線周波数回路モジュール30及びアンテナ40は、ともにRF光学マウス１の周知の標準設備であるため、ここでその構造についての詳しい説明を省略する。以下は図2に示すRF光学マウス１の実体図に沿って、RF光学マウス１の省電力機能の作動情況を詳しく説明する。
【００１２】
本発明に係る無線入力設備の省電力方法及びその機構は、RF光学マウス１を使用者が持ち歩いている場合や長時間にわたって操作していない場合、完全な省電力状態にすることを特徴とする。即ち、RF光学マウス１が上記の2種の状況において、電池給電モジュール101に蓄積された電力の消耗はない。該RF光学マウス１は、その底部ケースA（図2）に設けられた発光体B（図2）を通してRF光学マウス１の移動位置情報が検知モジュール20によって光信号を0と1であるデジタル信号に変換され、その後、制御ユニット102に伝送され、RF光学マウス１がノートパソコンに設けられた表示スクリーンにおける位置や作動の結果を計算し処理して、該制御ユニットがデジタル信号処理の結果を無線周波数電話モジュール30に入力し、無線周波数回路モジュール30がアンテナ40を通して発信端となり、RF光学マウス１の移動位置情報を無線伝送方式によってノートパソコンに接続された受信器（図示せず）に伝送して、使用者がRF光学マウス１のカーソルの表示スクリーンにおける表示状況を見ることができ、そして、RF光学マウス１を通してノートパソコンの機能操作を実施する。RF光学マウス１内部における発光体B（図2）は、実際に、いつでもオープン状態となっており、即ちRF光学マウス１に設けられた電池給電モジュール101は、ノートパソコンのデータ入力設備として使用されるように、RF光学マウス１の現在の作動状態に基づいて、RF光学マウス１に応じた電力をいつでも供給し、RF光学マウス１がスタンドバイのモードにおいても、すぐに操作モードに入ることができる。上記のプロセスは検知モジュール20を通してRF光学マウス１の活動状態メッセージを自動検知し、該活動状態メッセージを0と1であるデジタル信号によって制御ユニット102に伝送して更なる処理を行う。制御ユニット102が検知モジュール20からのデジタル信号を受信したあと、該デジタル信号に代表された活動状態メッセージに基づいて判断を行い、RF光学マウス１の現在の活動状態を判断する。RF光学マウス１の操作の回数が頻繁で、または移動範囲が広がるといったことであれば、使用者がRF光学マウス１を通してノートパソコンに備えた機能を操作していることを示している。従って、それと同時に、必要な電力をRF光学マウス１に電池給電モジュール101より提供するように制御ユニット102が制御し、RF光学マウス１がスムーズに作動するようになっている。また、RF光学マウス１がテーブル面に長時間にわたって移動していない場合、またはその上に設けられたクリックボタン（図示せず）が押圧されていない場合、RF光学マウス１の現在の作動状態がスタンドバイであることを制御ユニット102が判断し、よって、RF光学マウス１への電力を電池給電モジュール101が減少させるように制御ユニット102が制御して、使用者がRF光学マウス１を移動させることやその上に設けられたクリックボタンを押圧することによって、充分な電力をRF光学マウス１の使用として供給する。
【００１３】
上記のように、使用者がある時間帯にRF光学マウス１の移動またはその上に設けられたクリックボタンの押圧を行っていない場合、RF光学マウス１がスタンドバイに入るように制御ユニット102が制御しながら、RF光学マウス１に少ない電力が電池給電モジュール101より供給されるように制御して、RF光学マウス１が迅速にスタンドバイモードから操作モードに切り替えられる。このことから、RF光学マウス１がスタンドバイモードであっても、電池給電モジュール101に蓄積された電力が消耗されるとともに、本発明に係るRF光学マウス１がノートパソコンの周辺入力設備に用いられているため、RF光学マウス１の現在の作動状態がスタンドバイモードである場合、使用者の移動中ノートパソコンの携帯による振動によってRF光学マウス１が移動されることで、使用者がRF光学マウス１を使用してデータの入力作業をしていることを制御ユニット102が誤判断して、電池給電モジュール101よりRF光学マウス１に充分な電源が提供され、電池給電モジュールの使用可能期限が低減されることとなる。このように、RF光学マウス１の未操作の場合にも電力が消耗することを回避するためには、使用者は、移動中にRF光学マウス１を携帯している場合、スイッチモジュール103に設けられた突出し部1031（図2）によってRF光学マウス１の作動状態を完全な省電力状態に切り替えることによってスイッチモジュール103が、電池給電モジュール101より電力をRF光学マウス１の使用に提供する給電ルートを遮断する。この完全な省電力モードにおいて、RF光学マウス１は電池給電モジュール101からの電力を使用できなくなり、即ちRF光学マウス１は移動中の振動によって電池給電モジュール101に蓄積された電力が消耗することはないため、電池給電モジュール101に蓄積された電力の消耗速度が低減され、電池給電モジュールの使用期限が延長されることとなる。
【００１４】
図2は実体図であって、本発明に係る無線入力設備の省電力機構に含まれたスイッチモジュール103に付加された突出し部1031がRF光学マウス１に含まれた底部ケースAに装着された状態を示す。図2に示すように、該突出し部1031はRF光学マウス１とテーブル面との接触面の底部ケースAに設けられた凹部収容スペースCに嵌込まれることで、突出し部1031の形状がRF光学マウス１のテーブル面における移動に影響して作業がスムーズに行うことができなくなること、及びテーブルにおいてRF光学マウス１を移動させデータの入力作業を行う場合、スイッチモジュール103に付加された突出し部1031に誤接触してRF光学マウス１の作動電源がオフして、データの入力作業が中断されることを回避することができる。
【００１５】
図3はフロー図であって、本発明に係る無線入力設備の省電力方法及びその機構がRF光学マウスの省電力機能を実施する場合の各プロセスを示す。まず、ステップS1において、該RF光学マウス1の内部に省電力機構10を設置しておき、該無線入力設備の省電力機構10は、電池給電モジュール101、制御ユニット102、スイッチモジュール103を備え、RF光学マウス１に省電力機能を提供し、その後、ステップS2に入る。
【００１６】
ステップS2において、スイッチモジュール103に設けられたスイッチモジュール103の操作インタフェースとしての突出し部1031を、RF光学マウス１に含まれRF光学マウス１に設置された平面に接触した底部ケースAに設けられた凹部収容スペースCに設置して、該突出し部1031がRF光学マウス１がテーブル面を移動した場合の抵抗となることを回避することで、使用者はRF光学マウス１の外部ケースで直接スイッチモジュール103に設けられた突出し部1031によって、RF光学マウス１の作動状態を省電力モードに切り替え、その後、ステップS3に入る。
【００１７】
ステップS3において、無線入力設備の省電力機構10に設けられたスイッチモジュール103は、使用者が突出し部1031を通してRF光学マウス１の作動状態を完全な省電力モードに切り替えたあと、電池給電モジュール101よりRF光学マウス１の内部における各ユニットモジュールの作動に必要な電力を提供する伝送ルートを遮断して、使用者が移動中にRF光学マウス１を携帯している場合、RF光学マウス１の電源が移動による振動によってオンし、電池給電モジュール101に蓄積された電力の消耗速度が加速されることを回避し、そして、ステップS4に入る。
【００１８】
ステップS4において、使用者がRF光学マウス１を操作し、スイッチモジュール103に設けられた突出し部1031によってRF光学マウス１の作動状態を操作モードに切り替え  た時、電池給電モジュール101よりRF光学マウス１の作動に必要な電力を提供する伝送ルートをスイッチモジュール103が開放させ、RF光学マウス１の使用に充分な電力が電池給電モジュール101より提供され、使用者がRF光学マウス１を操作し直すことができるようになっている。
【００１９】
上記のように、本発明に係る無線入力設備の省電力方法及びその機構は、ノートパソコンに用いられたRF光学マウスが使用者の移動中の携帯による振動によって、非操作モードにおいても電池の蓄積電力が消耗することを回避することで、電池給電モジュール及びRF光学マウスの使用期限が延長される。
【００２０】
上記の実施の形態は本発明を例示する目的で示すものであり、本発明は、これらによって何ら限定されるものではない。本発明に係る実質的な技術内容は、下記の特許請求の範囲に定義される。本発明はこの技術分野に精通したものが特許請求の範囲を脱しない範囲で色々な修飾や変更が可能であり、そうした修飾や変更は本発明の技術範囲に入るものである。
【図面の簡単な説明】
【００２１】
【図１】本発明に係る無線入力設備の省電力方法及びその機構が無線光学マウス１に適用された場合の内部構造を模式的に示すブロック図である。
【図２】実体図であって、本発明に係る無線入力設備の省電力機構に含まれたスイッチモジュール103に付加された突出し部1031が無線光学マウス１に含まれた底部ケースAに装着された状態を示す。
【図３】フロー図であって、本発明に係る無線入力設備の省電力方法及びその機構が無線光学マウスの省電力機能を実施する場合の各プロセスを示す。
【符号の説明】
【００２２】
1  無線光学マウス
10  省電力機構
101  電池給電モジュール
102  制御ユニット
103  スイッチモジュール
1031  突出し部
20  検知モジュール
30  無線周波数回路モジュール
40  アンテナ
A  底部ケース
B  発光体
C  凹部収容スペース
【図１】
2006018776.tif 000003
【図２】
2006018776.tif 000004
【図３】
2006018776.tif 000005